(57)【特許請求の範囲】
【請求項１】
無線通信システムにおけるデータ伝送を受信する方法において、前記方法は対応するサービスしている基地局により実行され、
少なくとも１つの１次端末からの少なくとも１つの１次情報チャネル上で少なくとも１つのデータ伝送のために、及び少なくとも１つの２次端末からの少なくとも１つの２次情報チャネル上で少なくとも１つのデータ伝送のために、受信されたシンボルを取得すること、ここで、該少なくとも１つの１次情報チャネルは、互いに直交し、そして該少なくとも１つの２次情報チャネルとは直交しない、ここで、該少なくとも１つの２次端末は、対応するサービスしている基地局を含む対応する複数の基地局と通信し、該少なくとも１つの１次端末は、更なるサービスしている基地局とのみ通信する；
該少なくとも１つの１次端末のそれぞれに対する復号されたデータを得るために該受信されたシンボルを処理すること；
該少なくとも１つの１次端末による干渉を推定すること；
干渉がキャンセルされたシンボルを得るために該受信されたシンボルから該少なくとも１つの１次端末による該干渉をキャンセルすること；
該少なくとも１つの２次端末のそれぞれに対する復号されたデータを得るために該干渉がキャンセルされたシンボルを処理すること;及び
該少なくとも１つの１次端末への干渉を最小化しつつ、該対応する複数の基地局が該少なくとも１つの２次端末からのデータ伝送を復号することができるように、該少なくとも１つの２次端末を出力制御すること、
を具備する、無線通信システムにおけるデータ伝送を受信する方法。
【請求項２】
該少なくとも１つの１次情報チャネル及び該少なくとも１つの２次情報チャネルは、それぞれが、複数の時間間隔のそれぞれに関して、該時間間隔においてデータ伝送のために使用する複数のサブバンドの中の特定の１つを指示するそれぞれの周波数ホッピング（ＦＨ）シーケンスに関連付けられる、請求項１の方法。
【請求項３】
該無線通信システムは無線周波数ホッピング（ＦＨ）通信システムを備え、該少なくとも１つの１次情報チャネルはデータ伝送のために使用する少なくとも１つの１次ＦＨシーケンスに関連付けられ、該少なくとも１つの２次情報チャネルはデータ伝送のために使用する少なくとも１つの２次ＦＨシーケンスに関連付けられ、該少なくとも１つの１次端末は、該更なるサービスしている基地局により該少なくとも１つの１次ＦＨシーケンスを割り当てられ、該少なくとも１つの２次端末は、該更なるサービスしている基地局に隣接する更なる基地局により該少なくとも１つの２次ＦＨシーケンスを割り当てられる、請求項１の方法。
【請求項４】
該少なくとも１つの２次端末のそれぞれは、該更なるサービスしている基地局及び少なくとも該対応するサービスしている基地局とソフト・ハンドオフ状態にある、請求項１の方法。
【請求項５】
該少なくとも１つの２次端末のそれぞれに関して、該更なるサービスしている基地局及び該対応する基地局は、該システム内の異なるセルである、請求項４の方法。
【請求項６】
無線通信システムにおけるデータ伝送を受信するための装置において、対応するサービスしている基地局が、
少なくとも１つの１次端末からの少なくとも１つの１次情報チャネル上で少なくとも１つのデータ伝送のために、及び少なくとも１つの２次端末からの少なくとも１つの２次情報チャネル上で少なくとも１つのデータ伝送のために、受信されたシンボルを取得するための手段、ここで、該少なくとも１つの１次情報チャネルは、互いに直交し、そして該少なくとも１つの２次情報チャネルとは直交しない、ここで、該少なくとも１つの２次端末は、対応するサービスしている基地局を含む対応する複数の基地局と通信し、該少なくとも１つの１次端末は、更なるサービスしている基地局とのみ通信する；
該少なくとも１つの１次端末のそれぞれに対する復号されたデータを得るために該受信されたシンボルを処理するための手段；
該少なくとも１つの１次端末による干渉を推定するための手段；
干渉がキャンセルされたシンボルを得るために該受信されたシンボルから該少なくとも１つの１次端末による該干渉をキャンセルするための手段；
該少なくとも１つの２次端末のそれぞれに対する復号されたデータを得るために該干渉がキャンセルされたシンボルを処理するための手段；及び
該少なくとも１つの１次端末への干渉を最小化しつつ、該対応する複数の基地局が該少なくとも１つの２次端末からのデータ伝送を復号することができるように、該少なくとも１つの２次端末を出力制御するための手段、
を具備する、無線通信システムにおけるデータ伝送を受信するための装置。
【請求項７】
該少なくとも１つの１次情報チャネル及び該少なくとも１つの２次情報チャネルは、それぞれが、複数の時間間隔のそれぞれに関して、該時間間隔においてデータ伝送のために使用する複数のサブバンドの中の特定の１つを指示するそれぞれの周波数ホッピング（ＦＨ）シーケンスに関連付けられる、請求項６の装置。
【請求項８】
該無線通信システムは無線周波数ホッピング（ＦＨ）通信システムを備え、該少なくとも１つの１次情報チャネルはデータ伝送のために使用する少なくとも１つの１次ＦＨシーケンスに関連付けられ、該少なくとも１つの２次情報チャネルはデータ伝送のために使用する少なくとも１つの２次ＦＨシーケンスに関連付けられ、該少なくとも１つの１次端末は、該更なるサービスしている基地局により該少なくとも１つの１次ＦＨシーケンスを割り当てられ、該少なくとも１つの２次端末は、該更なるサービスしている基地局に隣接する更なる基地局により該少なくとも１つの２次ＦＨシーケンスを割り当てられる、請求項６の装置。
【請求項９】
該少なくとも１つの２次端末のそれぞれは、該更なるサービスしている基地局及び少なくとも該対応するサービスしている基地局とソフト・ハンドオフ状態にある、請求項６の装置。
【請求項１０】
該少なくとも１つの２次端末のそれぞれに関して、該更なるサービスしている基地局及び該対応する基地局は、該システム内の異なるセルである、請求項９の装置。
【発明の詳細な説明】
【技術分野】
【０００１】
本出願は、下記のものに関わっており、その全ては本出願の同じ譲受人に譲渡される。
【０００２】
同時係属中の米国出願番号第０６／４７０，１６０は、２００３年５月１２日に出願され、 “無線周波数ホッピング通信システムにおける干渉キャンセルを用いるソフト・ハンドオフ（Soft Handoff with Interference Cancellation in a Wireless Frequency Hopping Communication System）”と題される。
【０００３】
本発明は、一般に通信に係わり、そして更に具体的には、干渉キャンセルを使用する無線周波数ホッピング通信システムにおけるソフト・ハンドオフをサポートするための技術に関する。
【背景技術】
【０００４】
周波数ホッピング通信システムにおいて、データは、 “ホップ周期（hop period）”と呼ばれることがある、異なる時間間隔で異なる周波数サブバンド上で伝送される。これ等の周波数サブバンドは、直交周波数分割多重方式（ＯＦＤＭ）、他の多重搬送波変調技術、又はある他の構成により供給されることができる。周波数ホッピングを用いて、データ伝送は、サブバンドからサブバンドへと擬似ランダムな仕方で跳躍（ホップ）する。このホッピングは、周波数ダイバーシティを提供しそしてデータ伝送が狭帯域干渉、妨害、フェージング、等のような有害な経路効果により良く耐えることを可能にする。
【０００５】
直交周波数分割多元接続（orthogonal frequency division multiplexing）（ＯＦＤＭＡ）システムは、ＯＦＤＭを利用し、そして、複数の利用者を同時にサポートすることが出来る。周波数ホッピングＯＦＤＭＡシステムに関しては、ある一定の利用者に対するデータ伝送は、ある特定の周波数ホッピング（frequency hopping）（ＦＨ）シーケンスに関係付けられる、“情報（トラフィック）”チャネル上で送られることが出来る。このＦＨシーケンスは、各ホップ周期におけるデータ伝送のために使用するための特定のサブバンドを指示する。複数の利用者に対する多重データ伝送は、異なるＦＨシーケンスに関連付けられる複数の情報チャネル上で同時に送られることができる。これ等のＦＨシーケンスは、互いに直交するように定められることが出来て、従って、唯１つの情報チャネルのみが、そしてそれ故唯１つのデータ伝送のみが、各ホップ周期において各サブバンドを使用する。直交ＦＨシーケンスを使用することにより、多重データ伝送は、互いに干渉することなく、他方では周波数ダイバーシティの利点を享受する。
【０００６】
ＯＦＤＭＡシステムは、複数のセルを用いて展開されることが出来る、ここでセルは、一般的には基地局がカバーする範囲を言う。１つのセル内における定められたサブバンド上でのデータ伝送は、隣接するセル内における同じサブバンド上での別の１つのデータ伝送への干渉として作用する。セル間干渉をランダム化するために、各セルに対するＦＨシーケンスは、隣接するセルに対するＦＨシーケンスに関して、一般的には擬似ランダムになるように定められる。異なるセルに対する擬似ランダムＦＨシーケンスを使用することにより、干渉ダイバーシティが達成され、そして、１つのセルにおける１人の利用者のためのデータ伝送は、他の複数のセルにおける他の複数の利用者のためのデータ伝送から平均的な干渉を観測する。
【０００７】
多セルＯＦＤＭＡシステムにおいて、“ソフト・ハンドオーバ”とも呼ばれる、“ソフト・ハンドオフ”をサポートすることが望ましい。ソフト・ハンドオフは、それにより１人の利用者が複数の基地局と同時に通信する処理である。ソフト・ハンドオフは、異なる位置にある複数の基地局への又はその基地局からの伝送を介する有害な経路効果に対する空間的ダイバーシティを提供することが出来る。しかしながら、ソフト・ハンドオフは、システムが周波数ホッピングを採用する場合に複雑である。これは、１つのセルに対するＦＨシーケンスが、セル間干渉をランダム化するために隣接する複数のセルに対するＦＨシーケンスに関して擬似ランダムである（即ち、直交でない）ためである。複数の基地局とのソフト・ハンドオフ状態にある利用者は、複数の基地局の間の１つの指定された基地局により、あるＦＨシーケンスを使用することを指示されることがある。ソフト・ハンドオフ利用者により送られるデータ伝送は、その指定された基地局の他の利用者により送られるデータ伝送と直交する、しかし他の基地局の利用者により送られるデータ伝送に関しては擬似ランダムである。ソフト・ハンドオフ利用者は、他の基地局の利用者に干渉を引き起こし、そしてまたこれ等の利用者からの干渉を受け取る。干渉は、何らかの方法で軽減されない限り、全ての影響される利用者の性能を劣化させる。
【０００８】
それ故、周波数ホッピングＯＦＤＭＡシステムにおけるソフト・ハンドオフをサポートするための技術に対して本技術における必要性がある。
【発明の概要】
【０００９】
無線通信システム（例えば、周波数ホッピングＯＦＤＭＡシステム）においてソフト・ハンドオフをサポートするための技術が、本明細書において提供される。システム内の各セルは、１又は複数のセクタに分割されることが出来る。システム内の各セクタは、“非ハンドオフ”利用者の集合と“ソフト・ハンドオフ”利用者の集合とを同時にサポートすることが出来る。非ハンドオフ利用者は、唯１つのセクタと通信する（即ち、ソフト・ハンドオフでない）利用者である。ソフト・ハンドオフ利用者は、複数のセクタと同時に通信する利用者である。
【００１０】
各セクタに関しては、そのセクタの各非ハンドオフ利用者は、そのセクタにより１つの情報チャネルを割り当てられ、そして、そのセクタの各ソフト・ハンドオフ利用者は、ソフト・ハンドオフ利用者のための“サービスしている（serving）”セクタ又は“アンカー（anchor）”セクタにより情報チャネルを割り当てられる。ソフト・ハンドオフ利用者のためのサービスしているセクタは、ソフト・ハンドオフ利用者が通信する複数のセクタの間で指定されるセクタである。各セクタに関して、そのセクタの複数の非ハンドオフ利用者に割り当てられる複数の通信チャンネルは、互いに直交する、そして、そのセクタの複数のソフト・ハンドオフ利用者に割り当てられる複数の情報チャネルと直交することも直交しないこともあり得る、それはそのセクタがそのソフトハンド利用者のためのサービスしているセクタであるか否か次第である。
【００１１】
各セクタに関して、そのセクタの複数の非ハンドオフ利用者は、彼等のデータ伝送が、そのセクタのソフト・ハンドオフ利用者からの干渉、同様に他のセクタの利用者からの干渉の存在下で、そのセクタにより受信され復号されることが可能であるように、出力制御されることが出来る。複数のソフト・ハンドオフ利用者も又、彼等のデータ伝送が非ハンドオフ利用者への干渉を最小にしつつ、彼等のセクタにより復号されることが可能であるように、出力制御されることが出来る。
【００１２】
各セクタは、その受信した信号を処理し、そしてそのセクタの非ハンドオフ利用者からのデータ伝送を復元させる。一旦非ハンドオフ利用者からのデータ伝送が復号されてしまうと、各セクタは、そのセクタの非ハンドオフ利用者による干渉を推定しそして受信した信号から干渉をキャンセルする。各セクタは、そのセクタのソフト・ハンドオフ利用者からのデータ伝送を復元させるために、自身の干渉がキャンセルされた信号を更に処理する。
【００１３】
本発明の様々な態様及び実施形態が、下記に更に詳細に説明される。
【００１４】
本発明の特徴、本質、及び利点は、図面を使用して下記に記載される詳細な説明から更に明らかになる。図面では、一貫して対応するものは同じ参照符号で識別する。
【図面の簡単な説明】
【００１５】
【図１】図１は、ＯＦＤＭＡシステムを示す。
【図２】図２は、ＯＦＤＭＡシステムにおける１つのセクタに対する周波数ホッピングを図示する。
【図３】図３は、端末のブロック図を示す。
【図４Ａ】図４Ａは、同期システムにおける基地局のブロック図を示す。
【図４Ｂ】図４Ｂは、非同期システムにおける基地局のブロック図を示す。
【図５】図５は、同期システムにおける基地局内部の受信（ＲＸ）データ処理装置のブロック図を示す。
【図６】図６は、ＲＸデータ処理装置内部の干渉推定器及び干渉キャンセラのブロック図を示す。
【図７】図７は、非同期システムにおける基地局内部のＯＦＤＭ復調器／ＲＸデータ処理装置のブロック図を示す。
【図８】図８は、ＯＦＤＭ復調器／ＲＸデータ処理装置内部の干渉推定器及び干渉キャンセラのブロック図を示す。
【図９】図９は、端末によりデータを伝送するための流れ図を示す。
【図１０】図１０は、基地局により複数の端末からのデータ伝送を受信するための流れ図を示す。
【発明を実施するための形態】
【００１６】
“具体例の（exemplary）”という用語は本明細書中では“例、例証、又は実例として働く”ということを意味するために使用される。本明細書中で“具体例の”と記載されるいずれかの実施形態又は設計は、他の実施形態又は設計に対して優位である又は有利であると解釈される必要はない。
【００１７】
図１は、複数の利用者をサポートする具体例としてのＯＦＤＭＡシステム１００を示す。システム１００は、複数の端末１２０に対して通信を提供する複数の基地局１１０を含む。基地局は、端末と通信するために使用される固定局であり、そして、アクセス・ポイント、ノードＢ（Node B）、又は複数の他の用語、として呼ばれることもある。端末１２０は、一般的にはシステム全体に散らばっている、そして、各端末は、固定又は移動可能であることが出来る。端末はまた、移動局、利用者設備（user equipment）（ＵＥ）、無線通信装置、又は複数の他の用語、として呼ばれることもある。
【００１８】
各端末は、任意の与えられた瞬間に、順方向リンク上で１つ又は複数の基地局及び／又は逆方向リンク上で１つ又は複数の基地局と通信することが出来る。これは、端末が動作しているか否か、ソフト・ハンドオフがサポートされているか否か、そして端末がソフト・ハンドオフであるか否か、に依存する。順方向リンク（即ち、下り回線）は、基地局から端末への通信リンクを呼び、そして、逆方向リンク（即ち、上り回線）は、端末から基地局への通信リンクを呼ぶ。図１において、端末１２０ｃは、基地局１１０ａ、１１０ｂ及び１１０ｃと逆方向リンク上でソフト・ハンドオフの状態にあり、端末１２０ｄは、基地局１１０ａ及び１１０ｃとソフト・ハンドオフの状態にあり、そして、端末１２０ｇは、基地局１１０ｂ及び１１０ｃとソフト・ハンドオフの状態にある。残りの端末は、ソフト・ハンドオフの状態にない。簡単のため、順方向リンク伝送は、図１には示されない。
【００１９】
システム制御器１３０は、複数の基地局１１０を接続し、そして、（１）基地局１１０のための調整と制御、（２）これ等の基地局間でのデータの経路選択、及び（３）これ等の基地局により扱われる端末のアクセスと制御、の様な複数の機能を実行できる。
【００２０】
各基地局１１０は、それぞれの地理的範囲１０２に対して交信範囲を提供する。用語“セル”は、その用語が使用される文脈に従って、基地局及び／又はその交信範囲のことを呼ぶことが出来る。能力を増強するため、各基地局の交信範囲は、複数のセクタ（例えば、３つのセクタ１０４ａ，１０４ｂ及び１０４ｃ）に分割されることが出来る。各セクタは、対応する基地トランシーバ・サブシステム（base transceiver subsystem）(ＢＴＳ)により取り扱われることが出来る。用語“セクタ”は、その用語が使用される文脈に従って、ＢＴＳ及び／又はその交信範囲のことを呼ぶことが出来る。セクタ化されたセルに対して、そのセルのための基地局は、一般的にそのセルの全てのセクタのために複数のＢＴＳを含む。以下の説明は、各セルが複数のセクタに分割されている、と仮定する。簡単のために、以下の説明において、用語“基地局”は、一般に、セルを取り扱う固定局、及び、セクタを取り扱う固定局、の双方に対して使用される。同じセル内の全てのセクタのための複数の基地局は、一般的にそのセルに対する１つの物理的な基地局内部に施設を提供される。
【００２１】
本明細書中で説明される技術は、ソフト・ハンドオフをサポートするために使用されることが出来る。ソフト・ハンドオフにより１つの端末は、同時に複数のセルと通信する。これ等のセルに対する複数の基地局は、その端末のアクティブ・セットの中に含まれる。これ等の技術は、“ソフター・ハンドオフ”（softer handoff）をサポートするためにも使用されることが出来る。ソフター・ハンドオフは、端末がそれにより同一セルの複数のセクタと同時に通信する処理である。これ等のセクタ（これ等は一般的には同一の物理的な基地局の部分である）に対する複数の基地局は、その端末のアクティブ・セットの中に含まれる。簡単のために、以下の説明において、用語“ソフト・ハンドオフ”は、一般的には、１つの端末が複数のセルと同時に通信する場合と同様に１つの端末が同一セルの複数のセクタと同時に通信する場合も呼ぶ。
【００２２】
本明細書中で説明される技術は、システムにおける複数の基地局のタイミングが共通のクロック・ソース（例えば、ＧＰＳ）に同期される、同期システムのために使用されることが出来る。これ等の技術は又、システムにおける複数の基地局のタイミングが同期されていない、非同期システムのために使用されることも出来る。明確化のために、様々な詳細が同期システムに対して以下に説明される。その上、各セクタに対する１次利用者（下記に定義される）は、そのセクタのための基地局と同期されると仮定される。
【００２３】
ＯＦＤＭＡシステム１００は、ＯＦＤＭを利用する。ＯＦＤＭは、全システム帯域を多数（Ｎ個）の直交する周波数サブバンドに効果的に分割する変調技術である。ここで、Ｎは、Ｎ＞１で、一般的には２の冪乗である、これ等のサブバンドは、通常トーン（tones）、サブキャリア（sub-carriers）、ビン（bins）、及び周波数サブチャネル（subchannels）とも呼ばれる。ＯＦＤＭを用いて、各サブバンドは、データに関して変調されることが出来るそれぞれのサブキャリアと関連付けられる。あるＯＦＤＭシステムにおいては、ＮＤ個のサブバンドのみがデータ伝送のために使用され、ＮＰ個のサブバンドはパイロット伝送のために使用され、そしてＮＧ個のサブバンドは使用されずにシステムがスペクトル・マスク要求を満たすことが出来るようにするためのガード・サブバンドとして働く、そしてここに、Ｎ＝ＮＤ＋ＮＰ＋ＮＧである。簡単のために、以下の説明は、全てのＮ個のサブバンドはデータ伝送に使用されることが出来ると仮定する。
【００２４】
図２は、ＯＦＤＭＡシステムにおける１つのセクタに対する周波数ホッピングを図示する。周波数ホッピングは、上述で説明したように、有害な経路効果に対する周波数ダイバーシティ及び干渉ランダム化を含む様々な利点を得るために使用されることが出来る。この例として、Ｎ＝８であり、そして、８個のサブバンドが、１から８までの指標に割り当てられる。８個までの情報チャネルが定められることが出来て、それにより各情報チャネルは、各ホップ周期において８個のサブバンドの内の１つを使用する。ホップ周期は、１又は複数のＯＦＤＭシンボルの継続時間に等しくなるように定められることが出来る。
【００２５】
各情報チャネルは、異なるＦＨシーケンスに関係付けられる。セクタ内の全ての情報チャネルに対するＦＨシーケンスは、ＦＨ関数ｆＳ（ｋ，Ｔ）に基づいて生成されることが出来る、ここで、ｋは、情報チャネル番号または識別子（ＩＤ）を示し、そして、Ｔは、ホップ周期を単位として与えられるシステム時間を示す。Ｎ個の異なるＦＨシーケンスが、ＦＨ関数ｆＳ（ｋ，Ｔ）におけるＮ個の異なるｋの値を用いて生成されることができる。各情報チャネルに対するＦＨシーケンスは、各ホップ周期においてその情報チャネルに対して使用するための特定のサブバンドを指示する。
【００２６】
図２は、２つの情報チャネル１及び４に対して使用されるサブバンドを示す。情報チャネル１に対するＦＨシーケンス及びサブバンドは、陰影付枠により表される。情報チャネル４に対するＦＨシーケンス及びサブバンドは、斜線付枠により表される。各情報チャネルは、そのＦＨシーケンスにより決定される擬似ランダムな仕方でサブバンドからサブバンドへと動的にホップすることが、図２において見られることが出来る。この例において、情報チャネル４に対するＦＨシーケンス、ｆＳ（４，Ｔ）、は、情報チャネル１に対するＦＨシーケンス、ｆＳ（１，Ｔ）、の垂直移動されたバージョンである。情報チャネル４に対して使用されるサブバンドは、情報チャネル１に対して使用されるサブバンドに以下のように関係付けられる：
ｆＳ（４，Ｔ）＝（ｆＳ（１，Ｔ）＋３）ｍｏｄ  Ｎ．
セクタ内干渉を避けるために、各セクタは、その複数の情報チャネルに対し直交ＦＨシーケンスを使用することが出来る。ＦＨシーケンスは、もし任意の２つのＦＨシーケンスが何れのホップ周期Ｔにおいても同じサブバンドを使用しないのであれば、互いに直交する。この直交条件は、図２に示されるように、各セクタのための複数のＦＨシーケンスが互いに垂直移動されたバージョンであると定めることにより、取得されることが出来る。そのようなわけで、各セクタのための複数の情報チャネルは、それ等が直交ＦＨシーケンスに関連付けられるが故に、互いに直交する。唯１つの情報チャネルのみが各ホップ周期において個々のサブバンドを使用することを認めることにより、同一セクタ内の複数の情報チャネル上で送られる複数のデータ伝送間で、干渉が避けられる。
【００２７】
多セクタＯＦＤＭＡシステムに関して、１つのセクタにおける複数利用者に対するデータ伝送は、他の複数セクタにおける複数利用者に対するデータ伝送と干渉する。セクタ間干渉をランダム化するために、擬似ランダムＦＨ関数が、異なるセクタに対して使用されることが出来る。例えば、セクタｓ１に対するＦＨ関数ｆＳ１（ｋ，Ｔ）は、セクタｓ２に対するＦＨ関数ｆＳ２（ｍ，Ｔ）に関して擬似ランダムになるように定められることが出来る。この場合、情報チャネルｋのためにセクタｓ１により使用されるＦＨシーケンスは、情報チャネルｍのためにセクタｓ２により使用されるＦＨシーケンスに関して擬似ランダムである、ここで、ｋは、ｍに等しくても等しくなくても良い。これ等の情報チャネルに対するＦＨシーケンス間で“衝突”が生じるときは何時でも、即ち、ｆＳ１（ｋ，Ｔ）＝ｆＳ２（ｍ，Ｔ）であり、そして情報チャネルｋと情報チャネルｍが共に同一ホップ周期において同一サブバンドを使用する時は何時でも、情報チャネルｋと情報チャネルｍとの間の干渉が生じる。しかしながら、干渉は、ＦＨ関数ｆＳ１（ｋ，Ｔ）とｆＳ２（ｍ，Ｔ）の擬似ランダム性のためにランダム化される。
【００２８】
この様にして、各セクタのためのＦＨシーケンスは、次のようになるように定められることが出来る：  
１． セクタ内干渉を避けるために互いに直交する、及び  
２． セクタ間干渉をランダム化するために隣接セクタのためのＦＨシーケンスに関して擬似ランダムである。
【００２９】
上述の制約によって、１つのセクタにより情報チャネルｋを割り当てられた利用者は、同一セクタにより他の情報チャネルを割り当てられる他の全ての利用者に直交する。しかしながら、この利用者は、異なるＦＨ関数を使用する隣接セクタにおける全ての利用者に直交するとは限らない。
【００３０】
図１に戻って参照すると、各セクタは、非ハンドオフ利用者の集合及びソフト・ハンドオフ利用者の集合を同時にサポートする。各利用者は、その利用者がソフト・ハンドオフ状態にあるか否かに従って、１つ又は複数のセクタと通信することが出来る。１つの利用者が同時に通信する１つ又は複数のセクタは、“アクティブ・セット”の中に含まれる。非ハンドオフ利用者に対しては、アクティブ・セットは、１個のセクタを含み、そのセクタはその利用者のためにサービスしているセクタである。ソフト・ハンドオフ利用者に対しては、アクティブ・セットは複数のセクタを含み、そしてこれ等のセクタの１つ（例えば、最も強く受信されるセクタ）が、そのソフト・ハンドオフ利用者のためにサービスしているセクタとして指定される。
【００３１】
各セクタの複数の非ハンドオフ利用者は、そのセクタにより直交するＦＨシーケンスを有する情報チャネルを割り当てられ、従って互いに干渉することはない。各ソフト・ハンドオフ利用者は、そのサービスしているセクタにより情報チャネルを割り当てられる。各ソフト・ハンドオフ利用者は、そのサービスしているセクタ内の他の利用者に直交しそして干渉しない。しかしながら、各ソフト・ハンドオフ利用者は、そのアクティブ・セットにおける他のセクタ内の他の利用者には直交しない。かくして、各セクタのソフト・ハンドオフ利用者は、そのセクタの非ハンドオフ利用者と干渉するかもしれないし、干渉しないかもしれない。これは、そのソフト・ハンドオフ利用者がそのセクタにより情報チャネルを割り当てられるのか、又は、他のセクタにより情報チャネルを割り当てられるかどうか、次第である。
【００３２】
各セクタに関しては、そのセクタの複数の非ハンドオフ利用者は、彼等のデータ伝送が、そのセクタのソフト・ハンドオフ利用者からの干渉と同様に他のセクタ内の利用者からの干渉の存在下で、そのセクタにより復号されることが出来るように、出力制御されることが出来る。ソフト・ハンドオフ利用者もまた、非ハンドオフ利用者への干渉を最小化しつつ、彼等のデータ伝送が彼等のアクティブ・セット内の複数のセクタにより復号されることが出来るように、出力制御されることが出来る。
【００３３】
１つの実施形態において、各セクタは、自身が受信した信号を処理し、そして、そのセクタの非ハンド・オフ利用者からのデータ伝送を復元させる。各セクタは、次に非ハンドオフ利用者による干渉を推定し、そして、受信した信号から干渉をキャンセルする。各セクタは、更に、自身の干渉がキャンセルされた信号を処理して、そのセクタのソフト・ハンドオフ利用者からのデータ伝送を復元させる。
【００３４】
また各セクタは、“１次”利用者の集合及び“２次”利用者の集合を同時にサポートするものと見られることが出来る。各セクタに関して、１次利用者は、そのセクタにより情報チャネルを割り当てられた利用者であり、そして、２次利用者は、別の１つのセクタにより情報チャネルを割り当てられた利用者である。各セクタの１次利用者は、（１）そのセクタの非ハンドオフ利用者、及び、（２）サービスしているセクタがそのセクタであるソフト・ハンドオフ利用者、を含む。各セクタの２次利用者は、その利用者のサービスしているセクタがそのセクタとは別の他のセクタであるソフト・ハンドオフ利用者を含む。
【００３５】
別の１つの実施形態において、各セクタは、自身が受信した信号を処理し、そして、そのセクタの１次利用者（それはそのセクタの非ハンドオフ利用者と同様にそのセクタにより情報チャネルを割り当てられたソフト・ハンドオフ利用者を含む）からのデータ伝送を復元させる。各セクタは、次に１次利用者による干渉を推定し、そして、受信した信号から干渉をキャンセルする。各セクタは、更に、自身の干渉がキャンセルされた信号を処理して、そのセクタの２次利用者（それは他のセクタにより情報チャネルを割り当てられる）からのデータ伝送を復元させる。
【００３６】
各セクタは、上述で説明された２つの実施形態とは別の方法で利用者からのデータ伝送を復元させることが出来る、そして、これは本発明の範囲内である。一般に、出来る限り多くの干渉をキャンセルすることが望ましい。しかしながら、所定の利用者による干渉をキャンセルする能力は、その利用者からのデータ伝送を正しく復号する能力に依存し、その能力は、順に、例えば、その利用者が出力制御される方式の様な、他の要因に依存することがあり得る。
【００３７】
図３は、ＯＦＤＭＡシステム１００における端末の１つである、端末１２０ｘの一実施形態のブロック図を示す。端末１２０ｘは、非ハンドオフ利用者のためのものでもソフト・ハンドオフ利用者のためのものであっても良い。簡単のために、端末１２０ｘの送信機の部分のみが、図３に示される。
【００３８】
端末１２０ｘ内部では、符号器／変調器３１４は、データ・ソース３１２からトラフィック・データを及び制御器３３０から制御データと他のデータを受領する。トラフィック・データは、情報チャネルｘ上の伝送のために指定され、その情報チャネルは、端末１２０ｘに対してその端末のためにサービスしているセクタにより割り当てられる。符号器／変調器３１４は、その受領したデータを書式設定し、符号化し、インターリーブし、そして変調する、そして、変調シンボル（又は簡単に“データ・シンボル”）を供給する。各変調シンボルは、その変調シンボルに対して使用される変調体系に対応する信号コンステレーション（constellation）の中の特定の点に対する複素値である。
【００３９】
伝送周波数ホッピング（ＴＸ ＦＨ）スイッチ３１６は、データ・シンボルを受領し、そして、これ等の符号を情報チャネルｘに対する適切なサブバンド上に供給する。情報チャネルｘは、ホップ周期Ｔにおいて情報チャネルｘに対して使用するための特定のサブバンドを指示する、ＦＨシーケンスｘに関連付けられる。ＦＨシーケンスｘは、サービスしているセクタのためのＦＨ関数ｆＳ（ｋ，Ｔ）に基づき制御器３３０により生成されることができる。またＴＸ ＦＨスイッチ３１６は、パイロット・サブバンド上にパイロット・シンボルを供給し、そして更に、パイロット伝送又はデータ伝送のために使用されない各サブバンドに対しゼロの信号値を供給する。各ＯＦＤＭシンボル周期の間に、ＴＸ ＦＨスイッチ３１６は、Ｎ個のサブバンドに対してＮ個の“伝送”シンボル（そのシンボルはデータ・シンボル、パイロット・シンボル、及びゼロ信号値からなる）を供給する。
【００４０】
ＯＦＤＭ変調器３１８は、各ＯＦＤＭシンボル周期の間にＮ個の伝送シンボルを受領し、そして、対応するＯＦＤＭシンボルを供給する。ＯＦＤＭ変調器３１８は、一般的に逆高速フーリエ変換（inverse fast Fourier transform）（ＩＦＦＴ）ユニット及びサイクリック・プレフィックス（cyclic prefix）生成器を含む。各ＯＦＤＭシンボル周期の間に、ＩＦＦＴユニットは、Ｎ点逆ＦＦＴを使用してＮ個の伝送シンボルを時間ドメイン（domain）に変換して、Ｎ個の時間ドメイン“チップ（chips）”を含有する“変換された”シンボルを取得する。各チップは、１チップ周期に伝送されるべき複素値である。次に、サイクリック・プレフィックス生成器は、各変換されたシンボルの１部を繰り返して、Ｎ＋ＣＰチップを含有するＯＦＤＭシンボルを形成する、ここで、ＣＰは、繰り返されるチップの数である。繰り返される部分は、しばしばサイクリック・プレフィックスと呼ばれ、そして、周波数選択性のフェージングにより生ずるシンボル間干渉（ＩＳＩ）と戦うために使用される。ＯＦＤＭシンボル周期は、１ＯＦＤＭシンボルの継続時間に対応し、Ｎ＋ＣＰチップ周期である。ＯＦＤＭ変調器３１８は、ＯＦＤＭシンボルのストリーム（stream）を供給する。
【００４１】
送信機ユニット（ＴＭＴＲ）３２０は、変調信号を取得するためにＯＦＤＭシンボル・ストリームを受領しそして処理する。送信機ユニット３２０は、更に、制御器３３０から受領される出力制御信号に基づいて、ＯＦＤＭシンボル及び／又は変調された信号の振幅を調整する。変調された信号は、アンテナ３２２から端末１２０ｘに対するアクティブ・セットの中の（複数の）基地局へ伝送される。
【００４２】
図４Ａは、同期ＯＦＤＭＡシステムにおける基地局１１０ｘの一実施形態のブロック図を示す。基地局１１０ｘは、セクタｓＸに対する固定局である。簡単のために、基地局１１０ｘの受信機部分のみが、図４に示される。
【００４３】
基地局１１０ｘの交信範囲内部にある複数の端末により伝送される変調された信号は、アンテナ４１２により受信される。アンテナ４１２から受信される信号は、（１）セクタｓＸの非ハンドオフ利用者からの１又は複数の変調された信号、及び（２）セクタｓＸのソフト・ハンドオフ利用者からの１又は複数の変調された信号、を含むことが出来る。受信された信号は、サンプル（sample）を取得するために受信機ユニット（ＲＣＶＲ）４１４に供給され、その受信機ユニットにより処理される。次に、ＯＦＤＭ復調器４１６は、そのサンプルを処理し、そして、“受信された”シンボルを供給する、そのシンボルは、基地局１１０ｘにより受信された全ての端末により送られる結合された伝送シンボルの雑音の多い推定値である。ＯＦＤＭ復調器４１６は、一般的にはサイクリック・プレフィックス除去ユニット及びＦＦＴユニットを含む。各ＯＦＤＭシンボル周期の間に、サイクリック・プレフィックス除去ユニットは、各受信されたＯＦＤＭシンボル中のサイクリック・プレフィックスを除去し、受信された変換されたシンボルを得る。次に、ＦＦＴユニットは、Ｎ点ＦＦＴを用いて各受信された変換されたシンボルを周波数ドメインに変換して、Ｎ個のサブバンドに対するＮ個の受信されたシンボルを得る。
【００４４】
ＲＸデータ処理装置４２０は、各ＯＦＤＭシンボル周期に対するＮ個の受信されたシンボルを取得する、そして、これ等のシンボルを処理して基地局１１０ｘに伝送する各端末のための復号されたデータを取得する。ＲＸデータ処理装置４２０による処理は、下記に詳細に説明される。各端末のための復号されたデータは、記憶のためデータ・シンク４２２に供給されることが出来る。
【００４５】
制御器３３０及び４３０は、それぞれ端末１２０ｘ及び基地局１１０ｘでの動作を管理する。メモリ・ユニット３３２及び４３２は、それぞれ制御器３３０及び４３０により使用されるプログラム・コード及びデータのための記憶場所を提供する。
【００４６】
図４Ｂは、非同期ＯＦＤＭＡシステムにおける基地局１１０ｙの一実施形態のブロック図を示す。非同期システムに関して、２次利用者のタイミングは、１次利用者のタイミングと異なることがある。ＯＦＤＭ復調器／ＲＸデータ処理装置４４０は、各利用者に対してその利用者のタイミングに基づいてＯＦＤＭ復調を実行する。しかも、ＯＦＤＭ復調器／ＲＸデータ処理装置４４０は、下記に説明されるように、時間ドメインのシンボル上で干渉のキャンセルを実行する。
【００４７】
以下の説明は、次の実施形態に関しており、その実施形態により、セクタｓＸの１次利用者は、セクタｓＸにより情報チャネルを割り当てられる利用者であり、そしてセクタｓＸの２次利用者は、セクタｓＸとは別のセクタにより情報チャネルを割り当てられる利用者である。セクタｓＸの１次利用者は、セクタｓＸの非ハンドオフ利用者であるか、或いは、その利用者のサービスしているセクタがセクタｓＸであるセクタｓＸのソフト・ハンドオフ利用者であることがあり得る。セクタｓＸの２次利用者は、その利用者のサービスしているセクタがセクタｓＸとは別の１つのセクタであるセクタｓＸのソフト・ハンドオフ利用者である。
【００４８】
図５は、同期型ＯＦＤＭＡシステムに関する図４Ａにおける基地局１１０ｘ内部のＲＸデータ処理装置４２０の一実施形態のブロック図を示す。この実施形態において、ＲＸデータ処理装置４２０は、Ｐ個の１次利用者のためのＰ個のデータ処理装置５１０ａから５１０ｐ、干渉推定器５２０、干渉キャンセラ５３０、及びＳ個の２次利用者のためのＳ個のデータ処理装置５４０ａから５４０ｓ、を含む、ここに、Ｐ≧１及びＳ≧１である。
【００４９】
各ＯＦＤＭシンボル周期の間に、ＯＦＤＭ復調器４１６は、Ｎ個のサブバンドに対するＮ個の受信された信号をデータ処理装置５１０ａから５１０ｐ及び干渉キャンセラ５３０に供給する。１つのデータ処理装置５１０は、各１次利用者からのデータ伝送を復元させるために割り当てられる。１次利用者１からのデータ伝送のためのデータ処理装置５１０ａによる処理が、以下に説明される。１次利用者１は、ＦＨシーケンスｐ１に関連付けられる、情報チャネルｐ１を割り当てられる。
【００５０】
データ処理装置５１０ａ内部では、ＲＸ ＦＨスイッチ５１４ａは、各ＯＦＤＭシンボル周期においてＮ個のサブバンドに対するＮ個の受信されたシンボルを受領する。ＲＸＦＨスイッチ５１４ａは、情報チャネルｐ１に対する受信されたデータ・シンボルを復調器（Ｄｅｍｏｄ）／復号器５１６ａに、及び、１次利用者１に対する受信されたパイロット・シンボルをチャネル推定器５１８ａに、供給する。情報チャネルｐ１がサブバンドからサブバンドへと動的にホップするので、ＲＸ ＦＨスイッチ５１４ａは、１次利用者１のための端末におけるＴＸ ＦＨスイッチ３１６と同調して動作して、情報チャネルｐ１に対する適切なサブバンドから受信されたデータ・シンボルを抽出する。ＲＸ ＦＨスイッチ５１４ａに供給されるＦＨシーケンスは、１次利用者１のための端末におけるＴＸＦＨスイッチ３１６に供給されたＦＨシーケンスと同じＦＨシーケンスである。その上、両ＦＨシーケンスは、同期させられる。
【００５１】
チャネル推定器５１８ａは、（図５に示されるように）ＲＸ ＦＨスイッチ５１４ａから、又は受信されたシンボルから、１次利用者１のための受信されたパイロット・シンボルを取得する。次に、チャネル推定器５１８ａは、受信されたパイロット・シンボルに基づいて１次利用者１に対するチャネル推定値を導出する。チャネル推定値は、（１）データ伝送のために使用される各サブバンドに対する、１次利用者１のための端末と基地局１１０ｘとの間のチャネル利得、（２）１次利用者１から受信されたパイロットの信号強度、及び（３）恐らくその他の諸計測値、に関する推定値を含むことが出来る。
【００５２】
復調器／復号器５１６ａは、チャネル推定器５１８ａからのチャネル推定値を用いてＲＸ ＦＨスイッチ５１４ａからの受信されたデータ・シンボルを整合的に復調することが出来て、１次利用者１のためのデータ・シンボル推定値を取得する。復調器／復号器５１６ａは、更に、そのデータ・シンボル推定値を復調（即ち、シンボル・デマップ（demap））し、デインターリーブ（deinterleave）し、そして復号して、１次利用者のための復号されたトラフィック・データを取得する。一般に、１次利用者１のための基地局１１０ｘ内部の複数のユニットにより実行される処理は、この１次利用者に対する端末における対応する複数のユニットにより実行される処理に相補的である。
【００５３】
データ処理装置５１０ａから５１０ｐは、１次利用者１からＰに対する復号されたトラフィック・データ及びチャネル推定値を供給する。干渉推定器５２０は、１次利用者１からＰに対するその復号されたトラフィック・データ及びチャネル推定値を受領し、Ｐ個の１次利用者それぞれによる干渉を推定し、そしてＰ個の１次利用者に対する干渉推定値を干渉キャンセラ５３０に供給する。干渉キャンセラ５３０は、各ＯＦＤＭシンボル周期においてＮ個のサブバンドに対するＮ個の受信されたシンボルを受領し、及びＰ個の１次利用者に対する干渉推定値を受領する。各ＯＦＤＭシンボル周期の間に、干渉キャンセラ５３０は、Ｎ個のサブバンドのそれぞれの上のＰ個の１次利用者よる総干渉量を決定し、各サブバンドに対する受信されたシンボルから総干渉量を差引き、そしてＮ個のサブバンドに対するＮ個の干渉がキャンセルされたシンボルを供給する。干渉推定器５２０及び干渉キャンセラ５３０に対する具体例の設計が、下記に説明される。
【００５４】
１つのデータ処理装置５４０は、各２次利用者からのデータ伝送を復元させるために割り当てられる。各データ処理装置５４０は、ＲＸ ＦＨスイッチ５４４、復調器／復号器５４６、及びチャネル推定器５４８を含む、それ等はデータ処理装置５１０内部のＲＸＦＨスイッチ５１４、復調器／復号器５１６、及びチャネル推定器５１８とそれぞれ類似の方式で動作する。しかしながら、各データ処理装置５４０内部のＲＸ ＦＨスイッチ５４４は、Ｎ個のサブバンドに対するＮ個の受信されたシンボルの代わりに、Ｎ個の干渉がキャンセルされたシンボルを供給される。その上、各データ処理装置５４０内部のＲＸＦＨスイッチ５４４は、そのデータ処理装置により復元される、２次利用者のための端末におけるＴＸ ＦＨスイッチと同調して動作する。５４０ａから５４０ｓまでのデータ処理装置は１からＳまでの２次利用者のために復号されたトラフィック・データ（及び、恐らくチャネル推定値）を供給する。
【００５５】
図６は、同期型ＯＦＤＭＡシステムに対する図４ＡのＲＸデータ処理装置４２０内部の、干渉推定器５２０及び干渉キャンセラ５３０の一実施形態のブロック図を示す。この実施形態において、干渉推定器５２０は、Ｐ個の１次利用者に対するＰ個の端末毎の干渉推定器６２０ａから６２０ｐを含む。１つの端末毎の干渉推定器６２０は、各１次利用者による干渉を推定するために割り当てられる。１次利用者１による干渉を推定するために端末毎の干渉推定器６２０ａによる処理が、以下に説明される。
【００５６】
端末毎の干渉推定器６２０ａ内部で、符号器／変調器６２２ａは、１次利用者１に対する復号されたトラフィック・データを受領する。次に、符号器／変調器６２２ａは、その復号されたトラフィック・データを符号化し、インターリーブし、かつ変調する、そしてデータ・シンボルを供給する。ＴＸ ＦＨスイッチ６２４ａは、符号器／変調器６２２ａからデータ・シンボルを受領し、そしてこれ等のシンボルを１次利用者１に割り当てられた情報チャネルｐ１に対する適切なサブバンドの上へと、この情報チャネルに関連付けられるＦＨシーケンスｐ１により指示されるように、供給する。しかも、ＴＸ ＦＨスイッチ６２４ａは、適切なサブバンド上にパイロット・シンボルを供給することも出来る。ＴＸ ＦＨスイッチ６２４ａは、各ＯＦＤＭシンボル周期においてＮ個のサブバンドに対しＮ個の伝送シンボルを供給する。一般に、符号器／変調器６２２ａ及びＴＸ ＦＨスイッチ６２４ａによる処理は、１次利用者１のための端末における符号器／変調器３１４及びＴＸ ＦＨスイッチ３１６による処理とそれぞれ同一である。
【００５７】
チャネル・シミュレータ６２８ａは、基地局１１０ｘと１次利用者１に対する端末との間の通信リンクの効果をシミュレートする。チャネル・シミュレータ６２８ａは、ＴＸＦＨスイッチ６２４ａからの伝送シンボル及び１次利用者１に対するチャネル推定値を受領する。次に、チャネル・シミュレータ６２８ａは、チャネル推定値を用いて伝送シンボルを処理して、１次利用者１による干渉の推定値を取得する。例えば、チャネル・シミュレータ６２８ａは、各サブバンド上の伝送シンボルをそのサブバンドに対するチャネル利得推定値を用いて乗算することができ、１次利用者１によるそのサブバンド上の干渉成分を取得する。
【００５８】
受信されたシンボルは、セクタｓＸの複数の１次利用者及び複数の２次利用者により伝送されたシンボルに対する信号成分を含む。チャネル・シミュレータ６２８ａからの干渉推定値は、１次利用者１により伝送されたシンボルに対する信号成分である。干渉推定値は、Ｎ個のサブバンドに対するＮ個の干渉成分を含む、ここで、いずれかの所定のサブバンドに対する干渉成分は、もし１次利用者１によりそのサブバンド上に何のデータ・シンボル又はパイロット・シンボルも伝送されないならば、ゼロになり得る。
【００５９】
端末毎の干渉推定器６２０ａから６２０ｐは、それぞれ１次利用者１からＰに対する復号されたトラフィック・データを処理する。端末毎の干渉推定器６２０ａから６２０ｐの内部のチャネル・シミュレータ６２８ａから６２８ｐは、それぞれ１次利用者１からＰに対する干渉推定値を供給する。
【００６０】
干渉キャンセラ５３０は、Ｎ個のＰ−入力総和器６３０ａから６３０ｎ及びＮ個の２−入力総和器６３２ａから６３２ｎ、即ち、Ｎ個の各サブバンド対し１セットの総和器６３０及び６３２、を含む。干渉キャンセラ５３０は、ＯＦＤＭ復調器４１６からのＮ個のサブバンドに対するＮ個の受信されたシンボル、及び、それぞれ端末毎の干渉推定器６２０ａから６２０ｐからの１次利用者１からＰ１に対する干渉推定値、を受領する。干渉キャンセラ５３０の内部で、総和器６３０ａは、Ｐ個の１次利用者によるサブバンド１上の干渉成分を受領しそして合算する、そして、サブバンド１上の総干渉量を供給する。サブバンド２からサブバンドＮに対する他のＮ−１個の総和器６３０のそれぞれは、同様にＰ個の１次利用者による関連するサブバンド上の干渉成分を受領しそして合算する、そして、そのサブバンド上の総干渉量を供給する。総和器６３２ａは、サブバンド１に対する受信された信号からサブバンド１上の総干渉量を受領して引き算する、そして、サブバンド１に関する干渉がキャンセルされたシンボルを供給する。サブバンド２からＮに対する他のＮ−１個の総和器６３２のそれぞれは、同様にそのサブバンドに対する受信された信号から関連するサブバンド上の総干渉量を受領し引き算する、そして、そのサブバンドに関する干渉がキャンセルされたシンボルを供給する。総和器６３２ａから６３２ｎは、各ＯＦＤＭシンボル周期の間にＮ個のサブバンドに対してＮ個の干渉がキャンセルされたシンボルを供給する。
【００６１】
図７は、非同期ＯＦＤＭＡシステムに対する図４Ｂの基地局１１０ｙ内部のＯＦＤＭ復調器／ＲＸデータ処理装置４４０の一実施形態のブロック図を示す。この実施形態において、ＯＦＤＭ復調器／ＲＸデータ処理装置４４０は、Ｐ個の１次利用者のためのＰ個のデータ処理装置７１０ａから７１０ｐ、干渉推定器７２０、干渉キャンセラ７３０、及び、Ｓ個の２次利用者のためのＳ個のデータ処理装置７４０ａから７４０ｓを含む、ここにＰ≧１及びＳ≧１である。
【００６２】
受信機ユニット４１４からの復元されたシンボルは、各データ処理装置７１０ａから７１０ｐに供給される。各データ処理装置７１０は、ＯＦＤＭ復調器７１２、ＲＸ ＦＨスイッチ７１４、復調器／復号器７１６、及びチャネル推定器７１８を含む。各データ処理装置７１０内部のＯＦＤＭ復調器７１２は、そのデータ処理装置に割り当てられた１次利用者のタイミングに基づいて、受信されたシンボルにＯＦＤＭ復調を実行し、そして、Ｎ個のサブバンドに対するシンボル推定値を供給する。次に、ＲＸ ＦＨスイッチ７１４、復調器／復号器７１６、及びチャネル推定器７１８は、それぞれＲＸ ＦＨスイッチ５１４、復調器／復号器５１６、及びチャネル推定器５１８に対して図５において上述で説明されたような同様な方式でシンボル推定値に動作する。各データ処理装置７４０は、しかもそのデータ処理装置に割り当てられた２次利用者のタイミングに基づいて干渉がキャンセルされたシンボルにＯＦＤＭ復調を実行するＯＦＤＭ復調器７４２も含む。
【００６３】
図８は、非同期型ＯＦＤＭＡシステムに対する図４ＢのＯＦＤＭ復調器／ＲＸデータ処理装置４４０内部の干渉推定器７２０及び干渉キャンセラ７３０の一実施形態のブロック図を示す。この実施形態において、干渉推定器７２０は、Ｐ個の１次利用者に対するＰ個の端末毎の干渉推定器８２０ａから８２０ｐを含む。１つの端末毎の干渉推定器８２０は、各１次利用者による干渉を推定するために割り当てられる。各端末毎の干渉推定器８２０は、符号器／変調器８２２、ＴＸ ＦＨスイッチ８２４、ＯＦＤＭ変調器８２６、及びチャネル・シミュレータ８２８を含む。符号器／変調器８２２及びＴＸ ＦＨスイッチ８２４は、それぞれ符号器／変調器６２２及びＴＸ ＦＨスイッチ６２４に対して、図６において上述で説明されたように動作する。ＴＸ ＦＨスイッチ８２４は、各ＯＦＤＭシンボル周期においてＮ個のサブバンドに対してＮ個の伝送シンボルを供給する。次に、ＯＦＤＭ変調器８２６は、各ＯＦＤＭシンボル周期の間にＮ個の伝送シンボルにＯＦＤＭ変調を実行し、そして、時間ドメインのシンボルを供給する。
【００６４】
次に、チャネル・シミュレータ８２８は、割り当てられた１次利用者に対するチャネル推定値を用いて時間ドメインのシンボルを処理して、１次利用者による干渉の推定値を取得する。異なる１次利用者は、非同期型システムに関して異なるタイミングに関連付けられるので、チャネル・シミュレータ８２８は、チャネル・シミュレータからの干渉推定値がその受信されたシンボルと時間を一致させられるように、サンプル・レート変換もまた実行する。
【００６５】
干渉キャンセラ７３０は、Ｐ−入力総和器８３０及び２−入力総和器８３２を含む。干渉キャンセラ７３０は、受信機ユニット４１４から受信されたシンボルを受領し、及びそれぞれ端末毎の干渉推定器８２０ａから８２０ｐからの１次利用者１からＰに対する干渉推定値を受領する。干渉キャンセラ７３０内部で、総和器８３０は、Ｐ個の１次利用者による干渉を合算し、そして、総干渉量を供給する。総和器８３２は、受信されたシンボルから総干渉量を差引き、そして、干渉がキャンセルされたシンボルを供給する。その干渉がキャンセルされたシンボルは、Ｓ個の２次利用者に対するデータ処理装置７４０ａから７４０ｓにより処理される。
【００６６】
図５及び６に示される実施形態は、Ｓ個の２次利用者からのデータ伝送を復元させることに先立って、全てのＰ個の１次利用者による干渉が推定され、そしてキャンセルされる、ということを示唆する。セクタｓＸの１次利用者は、その利用者のアクティブ・セット中の複数のセクタにより出力制御されるソフト・ハンドオフ利用者であり得る。もしデータ伝送がアクティブ・セット中の他の（複数の）セクタにより復元されることが出来るように出力制御されるならば、セクタｓＸに対する基地局１１０ｘは、この１次利用者からのデータ伝送を復号出来ないことがある。もし任意の１次利用者からのデータ伝送が復号されることが出来ないならば、基地局１１０ｘは、その１次利用者による干渉を推定しそしてキャンセルしようと試みることは出来ない。基地局は、干渉のあるものをキャンセルするために部分的に復号されたデータを使用することが出来る。
【００６７】
図５及び図６に対する上述の説明は、その実施形態によりセクタｓＸの１次利用者がセクタｓＸの非ハンドオフ利用者であり、そして、セクタｓＸの２次利用者が（ソフト・ハンドオフ利用者のためにサービスしているセクタとは無関係に）セクタｓＸのソフト・ハンドオフ利用者である、実施形態にも適用する。
【００６８】
図５及び図６に示される実施形態に関して、１次利用者が最初に復号され、そして１次利用者による干渉が推定されキャンセルされた後で、次に２次利用者が復号される。２次利用者を最初に復号し、そして２次利用者による干渉が推定されキャンセルされた後で、次に１次利用者を復号することも又可能である。一般に、複数の利用者からのデータ伝送は、基地局１１０ｘにより任意の順序で復号されることが出来る。各良好に復号された利用者による干渉は、推定されそしてキャンセルされて、残りの未だ復号されてない利用者の信号品質を改善する。しかしながら、もし非ハンドオフ利用者が、ソフト・ハンドオフ利用者からの干渉の存在下で良好に復号されることが出来るように出力制御されるならば、システムの実行は、簡単化されることが出来る。この場合には、非ハンドオフ利用者が最初に復号され、ソフト・ハンドオフ利用者が続く。
【００６９】
簡単のために、図５及び図６は、並列的な設計を示し、それにより、（１）１つのデータ処理装置５１０及び１つの端末毎の干渉推定器６２０が各１次利用者に対して与えられ、そして、（２）１つのデータ処理装置５４０が各２次利用者に対して与えられる。また、時分割多重（time division multiplex）（ＴＤＭ）方式が利用されることが出来て、それにより１つのデータ処理装置５１０が全ての１次利用者及び２次利用者に対して与えられ、そしてタイム・シェアリングされる、そして、１つの端末毎の干渉推定器６２０も又全ての１次利用者に対して与えられ、そしてタイム・シェアリングされる。
【００７０】
図９は、無線通信システム（例えば、周波数ホッピングＯＦＤＭＡシステム）においてデータを伝送するための処理９００の流れ図を示す。処理９００は、複数のセクタに対する複数の基地局とソフト・ハンドオフ状態にある各端末により実行されることが出来る。
【００７１】
最初に、情報チャネルの割り当ては、第１基地局から取得される（ステップ９１２）。周波数ホッピングＯＦＤＭＡシステムに対して、割り当てられる情報チャネルは、各時間間隔（即ち、各ホップ周期）におけるデータ伝送のために使用する特定のサブバンドを指示するＦＨシーケンスに関連付けられる。データは、データ・シンボルを得るために、符号化されそして変調される（ステップ９１４）。周波数ホッピングＯＦＤＭＡシステムに対して、データ・シンボルは、ＦＨシーケンスにより指示されるサブバンド上に供給される（ステップ９１６）。データ・シンボルは、第１基地局へ及び第２基地局へ割り当てられた情報チャネル上の伝送のために更に処理される（例えば、ＯＦＤＭ変調される）（ステップ９１８）。
【００７２】
第１基地局により割り当てられる複数の情報チャネルは、互いに直交する、そして、第２基地局により割り当てられる情報チャネルとは直交しない。周波数ホッピングＯＦＤＭＡシステムに対して、第１基地局及び第２基地局により割り当てられる情報チャネルは、それぞれのＦＨシーケンスにそれぞれ関連付けられる。第１基地局により割り当てられる情報チャネルに対するＦＨシーケンスは、互いに直交し、そして第２基地局に割り当てられる情報チャネルに対するＦＨシーケンスとは直交しない。
【００７３】
図１０は、無線通信システム（例えば、周波数ホッピングＯＦＤＭＡシステム）において複数の端末からのデータ伝送を受信するための処理１０００の流れ図を示す。処理１０００は、各セクタに対する基地局により実行されることが出来る。明確にするために、セクタｓＸに対する基地局ｘによる処理が、以下に説明される。
【００７４】
最初に、受信されたシンボルが取得される（ステップ１０１２）。受信されたシンボルは、（１）少なくとも１つの１次端末からの少なくとも１つの“１次”情報チャネル上の少なくとも１つのデータ伝送、及び、（２）少なくとも１つの２次端末からの少なくとも１つの“２次”情報チャネル上の少なくとも１つのデータ伝送、を含む。１次情報チャネルは、基地局ｘにより割り当てられるチャネルであり、そして、２次情報チャネルは、他の基地局（例えば、基地局ｘの隣接基地局）により割り当てられるチャネルである。１次情報チャネルは、互いに直交し、そして、２次情報チャネルとは直交しない。１次情報チャネルは、２次情報チャネルに関して擬似ランダムであることが出来る。１次端末は、基地局ｘにより１次情報チャネルを割り当てられる端末であり、そして、２次端末は、他の基地局により２次情報チャネルを割り当てられる端末である。各２次端末は、（基地局ｘを含む）少なくとも２つの基地局とソフト・ハンドオフ状態にあることが出来る、そして、基地局ｘとは別の基地局により２次情報チャネルを割り当てられることが出来る。
【００７５】
ＯＦＤＭＡシステムに対して、受信されるシンボルは、ＯＦＤＭ復調器からＮ個のサブバンドに対して取得される。しかも、ＯＦＤＭＡシステムに対して、各情報チャネルは、それぞれのＦＨシーケンスに関連付けられる。１次情報チャネルに対する“１次”ＦＨシーケンスは、互いに直交し、そして、２次情報チャネルに対する“２次”ＦＨシーケンスとは直交しない。
【００７６】
受信されたシンボルは、各１次端末に対する復号されたデータを得るために処理される（ステップ１０１４）。（複数の）１次端末による干渉は、推定され（ステップ１０１６）、そして受信されたシンボルからキャンセルされて、干渉がキャンセルされたシンボルを得る（ステップ１０１８）。次に、干渉がキャンセルされたシンボルは、処理されて、各２次端末に対する復号されたデータを得る（ステップ１０２０）。
【００７７】
各１次端末のための処理は、（１）１次端末に割り当てられた１次情報チャネルに対する１次ＦＨシーケンスにより指示されるサブバンド上で受信されるシンボルを取得すること、（２）（例えば、１次端末から受信されるパイロット・シンボルに基づいて）１次端末に対するチャネル推定値を導出すること、及び、（３）１次端末に対する復号されたデータを得るために、（例えば、１次端末に対するチャネル推定値を用いて）１次端末に対する受信されたシンボルを復調すること及び復号すること、を含むことが出来る。各２次端末に対する処理は、受信されたシンボルの代わりに干渉がキャンセルされたシンボルについてであるが、同様な方式で実行されることが出来る。
【００７８】
各１次端末による干渉は、（１）データ・シンボルを得るために１次端末に対する復号されたデータを符号化すること及び変調すること、（２）データ・シンボルを１次端末に割り当てられたＦＨシーケンスにより指示されるサブバンド上に供給すること、及び、（３）１次端末による干渉を得るためにチャネル推定値を用いてデータ・シンボルを処理すること、により推定されることが可能である。各１次端末による干渉は、（複数の）１次端末による総干渉量を得るために統合されることが出来る。
【００７９】
本明細書中で説明される技術は、周波数ホッピングＯＦＤＭＡシステムと同様に他の型の無線通信システムに対しても使用されることが出来る。例えば、これ等の技術は、離散マルチトーン（discrete multi-tone）（ＤＭＴ）の様な、他のマルチ・キャリア変調技術を採用するシステムに対して使用されることが出来る。これ等の技術も、マルチ・キャリア変調を採用しない無線通信システム及び周波数ホッピングを採用しない無線通信システムに対しても使用されることが出来る。
【００８０】
本明細書において説明される技術は、ある種の他の方式で情報チャネルを定めるシステムに対して利用されることが出来る。周波数ホッピングＯＦＤＭＡシステムに関しては、情報チャネルは、各ホップ周期において使用するための特定のサブバンドを指示する、関連するＦＨシーケンスにより定められる。時分割多重（ＴＤＭ）システムに関しては、データは、タイム・スロット内で伝送されることが出来る、そして、複数の情報チャネルが、異なるタイム・スロットに割り当てられることが出来る。各セクタに対する複数の情報チャネルは、如何なる２つの情報チャネルも同じタイム・スロットを使用しないように、互いに直交となるように定められることが出来る。異なるセクタに対する情報チャネルは、１つのセクタに対する情報チャネルが別の１つのセクタに対する情報チャネルと同じタイム・スロットを使用する（従って、衝突する）ことが出来るように、擬似ランダムにすることが出来る。本明細書中で説明される技術は、このＴＤＭシステムに対しても使用されることが出来る。各ソフト・ハンドオフ利用者は、そのサービスしているセクタにより１つの情報チャネルを割り当てられる。各セクタは、そのセクタの１次利用者からのデータ伝送を復元させ、１次利用者による干渉をキャンセルし、そして次にそのセクタの２次利用者からのデータ伝送を復元させる。
【００８１】
本明細書中で説明される技術は、上述で説明されたように、逆方向リンク上のソフト・ハンドオフをサポートするために使用されることが出来る。しかも、これ等の技術は、１つの端末がそれにより同一セルの複数のセクタと通信する方法である、ソフター・ハンドオフをサポートするためにも使用されることが出来る。同じ処理は、ソフト・ハンドオフに対してもソフター・ハンドオフに対しても共に、基地局及び端末において実行されることが出来る。
【００８２】
本明細書中で説明される技術は、順方向リンクに対しても使用されることが出来る。例えば、１つの端末は、順方向リンク上で、１つの基地局からの利用者特定のデータ伝送と、複数の基地局からのオーバヘッド伝送（例えば、同報通信伝送）とを同時に受信することが出来る。端末は、１つの基地局からの利用者特定データ伝送を復元させるために自身が受信した信号を処理し、利用者特定データ伝送による干渉を推定しかつキャンセルし、そして、複数の基地局からのオーバヘッド伝送を復元させるために干渉がキャンセルされた信号を処理する、ことが出来る。
【００８３】
本明細書中で説明される技術は、様々な手段により実行されることが出来る。例えば、これ等の技術は、ハードウェア、ソフトウェア、又はそれ等の組合せにおいて実行されることが出来る。ハードウェアの実行に関しては、基地局内の処理ユニット（例えば、データ処理装置５１０及び５４０、干渉推定器５２０、干渉キャンセラ５３０、等々）は、１又は複数の特定用途向け集積回路（application specific integrated circuit）（ＡＳＩＣｓ）、ディジタル信号処理装置（digital signal processors）（ＤＳＰｓ）、ディジタル信号処理装置（digital signal processing devices）（ＤＳＰＤｓ）、プログラマブル・ロジック（programmable logic devices）装置（ＰＬＤｓ）、フィールド・プログラマブル・ゲート・アレイ（field programmable gate arrays）（ＦＰＧＡｓ）、プロセッサ、制御器、マイクロ制御器、マイクロプロセッサ、本明細書中で説明された機能を実行するために設計された他の電子ユニット、又はそれ等の組合せ、の内部に与えられることが可能である。しかも、端末内部の処理ユニット（例えば、符号器／変調器３１４、ＴＸ ＦＨスイッチ３１６、ＯＦＤＭ変調器３１８、等々）は、１又は複数のＡＳＩＣ、ＤＳＰ、等々の内部に与えられることが可能である。
【００８４】
ソフトウェアの実行に関しては、本明細書中で説明された技術は、本明細書中で説明された諸機能を実行するモジュール（例えば、処理手順、関数、等々）を用いて実行されることが出来る。ソフトウェア・コードは、メモリ・ユニット（例えば、図３及び図４におけるメモリ・ユニット３３２及び４３２）の中に記憶されることができ、そして、プロセッサ（例えば、制御器３３０及び４３０）により実行されることが出来る。メモリ・ユニットは、プロセッサの内部又はプロセッサの外部に与えられることが出来る、後者の場合、メモリ・ユニットは当業者に公知の各種の手段を介してプロセッサに通信上で接続されることが出来る。
【００８５】
開示された実施形態の前述の説明は、当業者の誰もが本発明を作る又は利用することを可能にするために提供される。これ等の実施形態への様々な変更は、当業者には容易に明らかであり、そして本明細書中で明確にされた包括的な原理は、本発明の精神と範囲を逸脱することなく他の実施形態に適用されることが可能である。かくして、本発明は、本明細書中で示される実施形態に限定されることを意図されるのではなく、本明細書中に開示された原理及び新規性と首尾一貫する最も広い範囲を認容されるべきである。
以下に、本願出願の当初の特許請求の範囲に記載された発明を付記する。
［Ｃ１］  少なくとも１つの１次端末からの少なくとも１つの１次情報チャネル上で少なくとも１つのデータ伝送のために、及び少なくとも１つの２次端末からの少なくとも１つの２次情報チャネル上で少なくとも１つのデータ伝送のために、受信されたシンボルを取得すること、ここで、該少なくとも１つの１次情報チャネルは、互いに直交し、そして該少なくとも１つの２次情報チャネルとは直交しない；
少なくとも１つの１次情報チャネルのそれぞれに対する復号されたデータを得るために受信されたシンボルを処理すること；
少なくとも１つの１次端末による干渉を推定すること；
干渉がキャンセルされたシンボルを得るために受信されたシンボルから少なくとも１つの１次端末による干渉をキャンセルすること；及び
少なくとも１つの２次情報チャネルのそれぞれに対する復号されたデータを得るために干渉がキャンセルされたシンボルを処理すること、
を具備する、無線通信システムにおけるデータ伝送を受信する方法。
［Ｃ２］  無線通信システムは、周波数ホッピング通信システムである、Ｃ１の方法。
［Ｃ３］  少なくとも１つの１次情報チャネル及び少なくとも１つの２次情報チャネルは、それぞれ、各時間間隔においてデータ伝送のために使用する複数のサブバンドの中の特定の１つを指示するそれぞれの周波数ホッピング（ＦＨ）シーケンスにそれぞれが関連付けられる、Ｃ２の方法。
［Ｃ４］  無線通信システムは、同期システムである、Ｃ１の方法。
［Ｃ５］  無線通信システムは、非同期システムである、Ｃ１の方法。
［Ｃ６］  複数のサブバンドに対する受信されたシンボルを取得すること；
少なくとも１つの１次端末のそれぞれに対する復号されたデータを得るために受信されたシンボルを処理すること、ここで、該少なくとも１つの１次端末は、データ伝送のために使用する少なくとも１つの１次ＦＨシーケンスを割り当てられる、及びここで、該少なくとも１つの１次ＦＨシーケンスは、互いに直交する；
少なくとも１つの１次端末による干渉を推定すること；
干渉がキャンセルされたシンボルを得るために受信されたシンボルから少なくとも１つの１次端末による干渉をキャンセルすること；及び
少なくとも１つの２次端末のそれぞれに対する復号されたデータを得るために干渉がキャンセルされたシンボルを処理すること、ここで、該少なくとも１つの２次端末は、データ伝送のために使用する少なくとも１つの２次ＦＨシーケンスを割り当てられる、及びここで、該少なくとも１つの２次ＦＨシーケンスは、少なくとも１つの１次ＦＨシーケンスと直交しない、
を具備する、無線周波数ホッピング（ＦＨ）通信システムにおける基地局でデータ伝送を受信する方法。
［Ｃ７］  少なくとも１つの１次端末は、基地局により少なくとも１つの１次ＦＨシーケンス割り当てられる、及びここで、少なくとも１つの２次端末は、該基地局の隣接基地局により少なくとも１つの２次ＦＨシーケンスを割り当てられる、Ｃ６の方法。
［Ｃ８］  少なくとも１つの２次端末のそれぞれは、該基地局を含む少なくとも２つの基地局とソフト・ハンドオフ状態にある、Ｃ６の方法。
［Ｃ９］  少なくとも１つの２次端末の中の第１の２次端末は、システム内の１つのセルの少なくとも２つの異なるセクタに対する少なくとも２つの基地局とソフト・ハンドオフ状態にある、Ｃ８の方法。
［Ｃ１０］  少なくとも１つの２次端末の中の第１の２次端末は、システム内の少なくとも２つの異なるセルに対する少なくとも２つの基地局とソフト・ハンドオフ状態にある、Ｃ８の方法。
［Ｃ１１］  少なくとも１つの２次端末のそれぞれは、該基地局とは異なる少なくとも２つの基地局の１つにより２次ＦＨシーケンスを割り当てられる、Ｃ８の方法。
［Ｃ１２］  少なくとも１つの１次端末は、ソフト・ハンドオフ状態にはなくそして該基地局とのみ通信する端末を含む、Ｃ６の方法。
［Ｃ１３］  少なくとも１つの１次端末は、ソフト・ハンドオフ状態にありそして該基地局によりＦＨシーケンスを割り当てられた端末をさらに含む、Ｃ１２の方法。
［Ｃ１４］  少なくとも１つの１次ＦＨシーケンスは、少なくとも１つの２次ＦＨシーケンスに関して擬似ランダムである、Ｃ６の方法。
［Ｃ１５］  受信されたシンボルを処理することは、
少なくとも１つの１次端末のそれぞれに対して、
該１次端末に割り当てられた１次ＦＨシーケンスにより指示されるサブバンド上で受信されたシンボルを取得すること、
該１次端末に対するチャネル推定値を導出すること、及び
該１次端末に対する復号されたデータを得るために該１次端末に対する受信されたシンボルを復調すること及び復号すること、
を含む、Ｃ６の方法。
［Ｃ１６］  推定することは、
少なくとも１つの１次端末のそれぞれに対して、
該１次端末に対するデータ・シンボルを得るために該１次端末に対する復号されたデータを符号化すること及び変調すること、
該１次端末に割り当てられた１次ＦＨシーケンスにより指示されるサブバンド上に該１次端末に対するデータ・シンボルを供給すること、及び
該１次端末による干渉を得るために該１次端末に対するチャネル推定値を用いて該１次端末に対するデータ・シンボルを処理すること、及び
少なくとも１つの１次端末による干渉を得るために該少なくとも１つの１次端末のそれぞれによる干渉を統合すること、
を含む、Ｃ６の方法。
［Ｃ１７］  干渉がキャンセルされたシンボルを処理することは、
少なくとも１つの２次端末のそれぞれに対して、
該２次端末に割り当てられた２次ＦＨシーケンスにより指示されるサブバンド上で干渉がキャンセルされたシンボルを取得すること、及び
該２次端末に対する復号されたデータを得るために該２次端末に対する干渉がキャンセルされたシンボルを復調すること及び復号すること、
を含む、Ｃ６の方法。
［Ｃ１８］  無線通信システムは直交周波数分割多元接続（ＯＦＤＭＡ）通信システムである、Ｃ６の方法。
［Ｃ１９］  複数のサブバンドに対する受信されたシンボルを取得するための手段；
少なくとも１つの１次端末のそれぞれに対する復号されたデータを得るために受信されたシンボルを処理するための手段、ここで、該少なくとも１つの１次端末は、データ伝送のために使用する少なくとも１つの１次ＦＨシーケンスを割り当てられる、及びここで、該少なくとも１つの１次ＦＨシーケンスは、互いに直交する；
少なくとも１つの１次端末による干渉を推定するための手段；
干渉がキャンセルされたシンボルを得るために受信されたシンボルから少なくとも１つの１次端末による干渉をキャンセルするための手段；及び
少なくとも１つの２次端末のそれぞれに対する復号されたデータを得るために干渉がキャンセルされたシンボルを処理するための手段、ここで、該少なくとも１つの２次端末は、データ伝送のために使用する少なくとも１つの２次ＦＨシーケンスを割り当てられる、及びここで、該少なくとも１つの２次ＦＨシーケンスは、少なくとも１つの１次ＦＨシーケンスと直交しない、
を具備する、無線周波数ホッピング（ＦＨ）通信システムにおける装置。
［Ｃ２０］  少なくとも１つの１次端末のそれぞれに対する復号されたデータを得るために受信されたシンボルを処理するように機能する少なくとも１つの第１データ処理装置、ここで、該少なくとも１つの１次端末は、データ伝送のために使用する少なくとも１つの１次ＦＨシーケンスを割り当てられる、及びここで、該少なくとも１つの１次ＦＨシーケンスは、互いに直交する；
少なくとも１つの１次端末による干渉を推定するように機能する干渉推定器；
干渉がキャンセルされたシンボルを得るために受信されたシンボルから少なくとも１つの１次端末による干渉をキャンセルするように機能する干渉キャンセラ；及び
少なくとも１つの２次端末のそれぞれに対する復号されたデータを得るために干渉がキャンセルされたシンボルを処理するように機能する少なくとも１つの第２データ処理装置、ここで該少なくとも１つの２次端末は、データ伝送のために使用する少なくとも１つの２次ＦＨシーケンスを割り当てられる、及びここで、該少なくとも１つの２次ＦＨシーケンスは、少なくとも１つの１次ＦＨシーケンスと直交しない、
を具備する、無線周波数ホッピング（ＦＨ）通信システムにおける装置。
［Ｃ２１］  それぞれの少なくとも１つの第１データ処理装置は、少なくとも１つの１次端末のそれぞれの１つに割り当てられる、及び、ここで、各１次端末に対する該第１データ処理装置は、
該１次端末に割り当てられる１次ＦＨシーケンスにより指示されるサブバンド上で受信されたシンボルを取得するように機能するスイッチ、
該１次端末に対するチャネル推定値を導出するように機能するチャネル推定器、及び  該１次端末に対する復号されたデータを得るために該１次端末に対する受信されたシンボルを復調しかつ復号するように機能する復調器及び復号器、
を含む、Ｃ２０の装置。
［Ｃ２２］  干渉推定器は、少なくとも１つの１次端末のそれぞれの１つによる干渉を推定するようにそれぞれが機能する少なくとも１つの端末毎の干渉推定器を含む、及びここで、各１次端末に対する該端末毎の干渉推定器は、
該１次端末に対するデータ・シンボルを得るために該１次端末に対する復号されたデータを符号化しかつ変調するように機能する符号器及び変調器、
該１次端末に割り当てられる１次ＦＨシーケンスにより指示されるサブバンド上に該１次端末に対するデータ・シンボルを供給するように機能するスイッチ、及び
該１次端末による干渉を得るために該１次端末に対するチャネル推定値を用いて該１次端末に対するデータ・シンボルを処理するように機能するチャネル・シミュレータ、
を含む、Ｃ２０の装置。
［Ｃ２３］  複数のサブバンドに対する受信されたシンボルを取得する；
少なくとも１つの１次端末のそれぞれに対する復号されたデータを得るため受信されたシンボルを処理する、ここで、該少なくとも１つの１次端末は、データ伝送のために使用する少なくとも１つの１次周波数ホッピング（ＦＨ）シーケンスを割り当てられる、及びここで、該少なくとも１つの１次ＦＨシーケンスは、互いに直交する；
少なくとも１つの１次端末による干渉を推定する；
干渉がキャンセルされたシンボルを得るために受信されたシンボルから少なくとも１つの１次端末による干渉をキャンセルする；及び
少なくとも１つの２次端末のそれぞれに対する復号されたデータを得るために干渉がキャンセルされたシンボルを処理する、ここで、該少なくとも１つの２次端末は、データ伝送のために使用する少なくとも１つの２次ＦＨシーケンスを割り当てられる、及びここで、該少なくとも１つの２次ＦＨシーケンスは、少なくとも１つの１次ＦＨシーケンスと直交しない、
ように機能する命令を記憶するためのプロセッサ読み取り可能な媒体。
［Ｃ２４］  第１基地局から情報チャネルの割り当てを取得すること；
データ・シンボルを得るためにデータを符号化すること及び変調すること；及び
第１基地局及び第２基地局へ情報チャネル上の伝送のためにデータ・シンボルを処理すること、ここで、第１基地局により割り当てられる複数の情報チャネルは、互いに直交し、そして第２チャネルにより割り当てられる情報チャネルとは直交しない、
を具備する、無線通信システムにおいて端末からデータを伝送する方法。
［Ｃ２５］  当該端末に割り当てられた情報チャネルとは直交しない他の情報チャネルを用いて割り当てられた他の端末からの伝送を復元させることに先立ち、端末からの伝送は、第１基地局により受信され、処理され、そしてキャンセルされる、Ｃ２４の方法。
［Ｃ２６］  第２基地局により他の情報チャネルを用いて割り当てられた他の端末からの伝送は、該端末からの伝送を復元させることに先立ち、該第２基地局により受信され、処理され、そしてキャンセルされる、Ｃ２４の方法。
［Ｃ２７］  無線通信システムは、周波数ホッピング通信システムである、Ｃ２４の方法。
［Ｃ２８］  第１基地局により割り当てられた情報チャネル及び第２基地局により割り当てられた情報チャネルは、各時間間隔においてデータ伝送のために使用する複数のサブバンドの内の特定の１つを指示する、それぞれの周波数ホッピング（ＦＨ）シーケンスとそれぞれ関係付けられる、Ｃ２７の方法。
［Ｃ２９］  第１基地局及び第２基地局は、システムにおける１つのセルの２つの異なるセクタに対してである、Ｃ２４の方法。
［Ｃ３０］  第１基地局及び第２基地局は、システムにおける２つの異なるセルに対してである、Ｃ２４の方法。
［Ｃ３１］  第１基地局からＦＨシーケンスの割り当てを取得すること；
データ・シンボルを得るためにデータを符号化すること及び変調すること；
データ・シンボルをＦＨシーケンスにより指示されるサブバンド上に供給すること；及び
第１基地局へ及び第２基地局への伝送のためにデータ・シンボルを処理すること、ここで、該第１基地局により割り当てられる複数のＦＨシーケンスは、互いに直交し、そして該第２基地局により割り当てられるＦＨシーケンスとは直交しない、
を具備する、無線周波数ホッピング（ＦＨ）通信システムにおいてデータを伝送する方法。
［Ｃ３２］  第１基地局により割り当てられるＦＨシーケンスは、第２基地局により割り当てられる複数のＦＨシーケンスに関して擬似ランダムである、Ｃ３１の方法。
［Ｃ３３］  第１基地局からＦＨシーケンスの割り当てを取得するための手段；
データ・シンボルを得るためにデータを符号化するため及び変調するための手段；
データ・シンボルをＦＨシーケンスにより指示されるサブバンド上に供給するための手段；及び
第１基地局へ及び第２基地局への伝送のためにデータ・シンボルを処理するための手段、ここで、該第１基地局により割り当てられる複数のＦＨシーケンスは、互いに直交し、そして該第２基地局により割り当てられるＦＨシーケンスとは直交しない、
を具備する、無線周波数ホッピング（ＦＨ）通信システムにおける装置。
［Ｃ３４］  第１基地局からＦＨシーケンスの割り当てを取得するように機能する制御器；
データ・シンボルを得るためにデータを符号化しかつ変調するように機能する符号器及び変調器；
データ・シンボルをＦＨシーケンスにより指示されるサブバンド上に供給するように機能するスイッチ；及び
第１基地局へ及び第２基地局への伝送のためにデータ・シンボルを処理するように機能する直交周波数分割多重（ＯＦＤＭ）変調器、ここで、該第１基地局により割り当てられる複数のＦＨシーケンスは、互いに直交し、そして該第２基地局により割り当てられるＦＨシーケンスとは直交しない、
を具備する、無線周波数ホッピング（ＦＨ）通信システムにおける装置。
［Ｃ３５］  第１基地局から周波数ホッピング（ＦＨ）シーケンスの割り当てを取得する；
データ・シンボルを得るためにデータを符号化する及び変調する；
データ・シンボルをＦＨシーケンスにより指示されるサブバンド上に供給する；及び
第１基地局へ及び第２基地局への伝送のためにデータ・シンボルを処理する、ここで、該第１基地局により割り当てられる複数のＦＨシーケンスは、互いに直交し、そして該第２基地局により割り当てられるＦＨシーケンスとは直交しない、
ように機能する命令を記憶するためのプロセッサ読み取り可能な媒体。
【符号の説明】
【００８６】
１００…ＯＦＤＭＡシステム、１０２…セル、１０４…セクタ、１１０…基地局、１２０…端末、３２２，４１２…アンテナ、６３０，８３０…Ｐ−入力総和器、６３２，８３２…２−入力総和器、９００…データを伝送するための処理、１０００…複数の端末からのデータ伝送を受信するための処理。
【図１】
0005897680.tif 000002
【図２】
0005897680.tif 000003
【図３】
0005897680.tif 000004
【図４Ａ】
0005897680.tif 000005
【図４Ｂ】
0005897680.tif 000006
【図５】
0005897680.tif 000007
【図６】
0005897680.tif 000008
【図７】
0005897680.tif 000009
【図８】
0005897680.tif 000010
【図９】
0005897680.tif 000011
【図１０】
0005897680.tif 000012